(57)【要約】【課題】逆流防止性能の高い換気用器具を提供する。【解決手段】室内側と屋外側とを連通させる通気パイプ２を設け、この通気パイプ２の屋外側開口２ｂに設けた換気用器具に関する。前記換気用器具は、外壁４に沿って広がるベース部２５と、前記通気パイプ２の屋外側開口２ｂを外方の正面から覆う正面板部４０と、前記屋外側開口２ｂを上方から覆う天板部４２と、前記屋外側開口２ｂを下方から覆う底板部４４とを備える。前記底板部４４、天板部４２および正面板部４０で前記屋外側開口２ｂに臨む空間２０ａが形成される。前記換気用器具は、上下に開口する上下用通路２０ｂを形成する上下通路壁面部４６を左右の端部に有すると共に、該一対の上下用通路２０ｂが前記空間２０ａに連なり、該空間２０ａと前記左右一対の上下用通路２０ｂとで概ねＨ型の換気用通路が形成される。前記換気用器具は、前記ベース部２５と前記正面板部４０とが別体に形成されている。【選択図】　　　　図２
2004045009.tif 000002
【特許請求の範囲】
【請求項１】
室内側と屋外側とを連通させる通気パイプを設け、この通気パイプの屋外側開口に設けた換気用器具において、
前記換気用器具は、外壁に沿って広がるベース部と、前記通気パイプの屋外側開口を外方の正面から覆う正面板部と、前記屋外側開口を上方から覆う天板部と、前記屋外側開口を下方から覆う底板部とを備え、前記底板部、天板部および正面板部で前記通気パイプの屋外側開口に臨む空間が形成され、
前記換気用器具は、上下に開口する上下用通路を形成する上下通路壁面部を左右の端部に有すると共に、該一対の上下用通路が前記空間に連なり、
該空間と前記左右一対の上下用通路とで概ねＨ型の換気用通路が形成されており、
前記ベース部と前記正面板部とが別体に形成されている換気用器具。
【請求項２】
室内側と屋外側とを連通させる通気パイプを設け、この通気パイプの屋外側開口に設けた換気用器具において、
前記換気用器具は、互いに別体の台座と屋外フードとを備え、
前記台座は、外壁に沿って広がるベース部を備えており、
前記屋外フードは、前記通気パイプの屋外側開口を外方の正面から覆う正面板部と、前記屋外側開口を上方から覆う天板部と、前記屋外側開口を下方から覆う底板部とを備え、前記底板部、天板部および正面板部で前記通気パイプの屋外側開口に臨む空間が形成され、
前記屋外フードは、上下に開口する上下用通路を形成する上下通路壁面部を左右の端部に有すると共に、該一対の上下用通路が前記空間に連なり、
該空間と前記左右一対の上下用通路とで概ねＨ型の換気用通路が形成されている換気用器具。
【請求項３】
請求項１もしくは２の換気用器具において、
前記正面板部には、前記空間に向って滑らかに、かつ、山形に膨出する案内部が設けられ、該案内部は前記上下用通路に平行に設けられている換気用器具。
【請求項４】
請求項１もしくは２の換気用器具において、
前記空間と前記上下用通路との間には、前記換気用通路の形状が概ねＨ型となるように、絞板部が設けられている換気用器具。
【請求項５】
請求項２の換気用器具において、
前記空間と前記上下用通路との間には、前記換気用通路の形状が概ねＨ型となるように、前記正面板部、天板部および底面部から突出する絞板部が前記屋外フードに一体に形成されている換気用器具。
【請求項６】
請求項２もしくは５の換気用器具において、
前記台座の正面側には、前記屋外フードの前記上下通路壁面部の先端部が挿入される溝状の嵌合部が設けられている換気用器具。
【請求項７】
請求項１ないし６のいずれか１項において、
前記台座は外壁に沿った平面を有する換気用器具。
【発明の詳細な説明】
【０００１】
【発明の属する技術分野】
本発明は、室内の空気を排出するために屋外に設置する換気用器具に関する。
【０００２】
【従来の技術およびその欠点】
この種の換気用器具では、室内の空気を排出するための電動ファン（換気扇）を設けている。
しかし、屋外を流れる空気の動圧等の影響を受けて、外気が室内に流れ込む、つまり、逆流することがある。
一方、逆流を防止しようとすると、前記ファンの定格を大きくする必要が生じる。
【０００３】
したがって、本発明の目的は、ファンの定格を大きくしなくても、逆流を防止できる逆流防止性能の高い換気用器具を提供することである。
【０００４】
【課題を解決するための発明の概要】
前記目的を達成するために、本発明は、室内側と屋外側とを連通させる通気パイプを設け、この通気パイプの屋外側開口に設けた換気用器具において、前記換気用器具は、外壁に沿って広がるベース部と、前記通気パイプの屋外側開口を外方の正面から覆う正面板部と、前記屋外側開口を上方から覆う天板部と、前記屋外側開口を下方から覆う底板部とを備え、前記底板部、天板部および正面板部で前記通気パイプの屋外側開口に臨む空間が形成されている。
前記換気用器具は、上下に開口する上下用通路を形成する上下通路壁面部を左右の端部に有すると共に、該一対の上下用通路が前記空間に連なり、該空間と前記左右一対の上下用通路とで概ねＨ型の換気用通路が形成されており、前記ベース部と前記正面板部とが別体に形成されていることを特徴とする。
【０００５】
本発明の換気用器具の換気用通路はＨ型に形成されており、外気が外壁に沿って横に流れると、上下用通路内の空気を外気が吸い出すので、外気が逆流して流入するのを防止できる。
一方、外気が外壁に沿って上下に流れ上下用通路を通ると、屋外側開口に臨む空間の空気が上下用通路に吸い出されるので、外気が逆流して流入するのを防止できる。
【０００６】
また、本発明においては、前記Ｈ型の換気用通路を形成するベース部と正面板部とが別体であるから、本換気用器具を樹脂により容易に型成形して、安価に量産することができると共に、ベース部を取り付ける作業も容易になる。
なお、台座が外壁に沿った平面を有していれば、台座を外壁に取り付け易いだけでなく、台座と外壁との間にシール用のパッキンや断熱材を介挿し易くなるので、取付の安定性、シール性および断熱性を向上させることができる。
【０００７】
前記正面板部には、前記空間に向って山形に膨出する案内部を設けるのが好ましい。換気ファンにより室内から空気が通気パイプを通って、前記空間に流れるが、この空気は前記案内部によって左右の上下用通路に導出されて排出される。したがって、排気がスムースになる。
【０００８】
なお、屋外フードの上下通路壁面部の先端が、台座の溝状の嵌合部に挿入されていれば、台座と屋外フードとが別体であっても、空気の流れに乱れが生じにくく、悪影響を与えることはない。
【０００９】
【発明の実施の形態】
以下、本発明の実施形態を図面にしたがって説明する。
図１ないし図７（ａ）は本発明の第１実施形態を示す。
図１および図２に示すように、換気装置は、通気パイプ２、電動ファン３および換気用器具１を備えている。通気パイプ２は、内壁５、通気層８および外壁４を貫通して設けられ、室内Ｉと屋外Ｏとを連通させている。前記通気パイプ２の室内側開口部２ａには電動ファン３が設けられており、通気パイプ２の屋外側開口２ｂには、本換気用器具１が設けられている。後述するように、室内Ｉの空気Ａは、電動ファン３により通気パイプ２内に送られ、換気用器具１から屋外Ｏに排出される。
なお、通気パイプ２の屋外側は、外壁４から突出する突出部２ｃとなっている。
【００１０】
前記換気用器具１は、互いに別体の台座２２および屋外フード２０を備えている。図３および図４に示すように、台座２２には、前記突出部２ｃ（図１）の外周に嵌合する円環状の外嵌部２４とベース部２５とが一体に形成されている。該ベース部２５は、外嵌部２４のまわりに一体に形成され、かつ、外壁４に沿って広がるように形成されている。
前記ベース部２５の外壁面取付側２５ａには、パッキン装着用の溝２６が設けられている。該溝２６は、前記外嵌部２４のまわりを概ね全周にわたって連なる四角い枠状に形成されている。図２に示すように、前記溝２６には、発砲樹脂または発砲ゴム（パッキン）３２が装着されている。該パッキン３２は、両面に粘着材を有し、その断面が方形に形成されている。
【００１１】
図３（ｂ）の前記台座２２には、該台座２２を前記外壁４に固定するための複数の挿通孔２７が形成されている。挿通孔２７には、ビスのような締結具（図示せず）が挿通され、図１および図２に示すように、台座２２が外壁４に固定される。
ここで、前記締結具の締結力によって台座２２と外壁４との間に介挿された前記パッキン３２が圧縮され、前記台座２２と外壁４との間が、前記通気パイプ２のまわりの全周にわたってシールされる。
前記溝２６の外周には、コーキング材３０が充填されている。該コーキング材３０を充填することにより、前記外壁４と台座２２との間がシールされており、更に防水性を向上させることができる。
【００１２】
一方、前記台座２２の外嵌部２４と前記通気パイプ２の突出部２ｃに、粘着性を有する、たとえばブチルテープなどからなる樹脂テープ３４が跨がって巻回されていることによって前記外嵌部２４と前記突出部２ｃとの間がシールされている。
【００１３】
図５に示すように、前記屋外フード２０は、正面板部４０、天板部４２および底板部４４を有している。図２に示すように、前記正面板部４０は、前記通気パイプ２の屋外側開口２ｂを外方の正面から覆っている。前記天板部４２および底板部４４は、それぞれ、前記屋外側開口２ｂを上方および下方から覆っている。したがって、前記正面板部４０、天板部４２および底板部４４によって、前記屋外側開口２ｂに臨む空間２０ａが形成されている。
【００１４】
一方、図５の前記屋外フード２０は、左右の端部に上下通路壁面部４６を有している。該上下通路壁面部４６によって、上下に開口する上下用通路２０ｂが形成されている。該一対の上下用通路２０ｂは、前記空間２０ａに連通している。図６（ｃ）および図７（ａ）に示すように、前記空間２０ａおよび上下用通路２０ｂによって、概ねＨ型の換気用通路が形成される。
【００１５】
前記屋外フード２０には、前記空間２０ａと上下用通路２０ｂとの間に、一対の絞板部４９、４９が設けられている。前記絞板部４９は、正面板部４０、天板部４２および底板部４４から鉛直面に沿って突出しており、前記換気用通路の形状を概ねＨ型に近づけるためのもので、通路用の切欠部４９ａを有している。
【００１６】
図７（ａ）において、外気が外壁に沿って水平方向Ｈに流れると、前記上下用通路２０ｂ内の空気が該上下用通路２０ｂの上方および／または下方に吸い出される。したがって、外気が逆流して室内に流入するおそれがない。
【００１７】
一方、外気が外壁に沿って上下方向Ｖに流れ上下用通路２０ｂを通ると、前記空間２０ａ内の空気が前記切欠部４９ａから前記上下用通路２０ｂに吸い出される。したがって、外気が逆流して室内に流入するおそれがない。
【００１８】
図５に示すように、前記正面板部４０には、前記空間２０ａに向って滑らかに、かつ、山形に膨出する案内部４０ａが形成されている。前記案内部４０ａは、鉛直線に沿って前記上下用通路２０ｂと平行に長く形成されている。
図１に示すように、室内Ｉの空気Ａは、前記電動ファン３によって通気パイプ２内に送られた後、屋外フード２０の空間２０ａに導出され、前記山形の案内部４０ａに沿って左右の上下用通路２０ｂに振り分けられた後、図５（ｂ）の上下用通路２０ｂから屋外Ｏ（図１）に排出される。したがって、排気の流れがスムースになる。
【００１９】
前記絞板部４９および上下通路壁面部４６は、その先端部が、それぞれ図３（ａ）に示す台座２２の正面側に設けられた溝状の嵌合部５６、５７および５８に挿入されている。
【００２０】
つぎに、本発明の換気用器具の取付手順について説明する。
予め通気パイプ２を、外壁４の仕上げ面より屋外に向けて突出させておく。この後台座２２の外嵌部２４を、前記通気パイプ２の突出部２ｃの外周に嵌合させる。この際、予めパッキン３２を、台座２２に設けられた溝２６に装着しておく。この状態で、ベース部２５に設けられている挿通孔２７に締結具を挿入して、前記台座２２を外壁４に固定する。この固定後、コーキング材３０を、外壁４と台座２２との間に充填する。一方、、ブチルテープ３４を、通気パイプ２および台座２２の外周面に跨がるように巻き付ける。こうして、外壁４と台座２２との間や台座２２と通気パイプ２との間の防水気密処理が、外壁４の外側において、容易かつ、確実に行える。
【００２１】
前記防水気密処理の完了後、屋外フード２０を取り付ける。屋外フード２０の上下通路壁面部４６に設けられた取付穴５２（図６（ｄ））に挿入したビスを、台座２２に設けられたネジ穴５４（図４（ｅ））に螺入して締結する。このように、屋外フード２０と台座２２とがビス止めされているので、屋外フード２０を台座２２に簡単に取り付けることができる。
【００２２】
なお、本発明の換気用器具では、ベース部２５と正面板部４０とが別体に形成されていればよく、絞板部４９または上下通路壁面部２６を前記ベース部２５または前記正面板部４０のいずれに形成してもよい。たとえば図７（ｂ）の第２実施形態のように、前記絞板部４９と上下通路壁面部２６の一部とをベース部２５に一体に形成してもよい。
【００２３】
また、必ずしも前記絞板部４９を設ける必要はなく、図８の第３実施形態のように、屋外フード２０自体を概ねＨ型の形状に形成して、前記概ねＨ型の換気用通路を形成するようにしてもよい。
【００２４】
本発明にかかる屋外フード２０には、図９に示すように、前記絞板部４９の側面に、防虫・防鳥用の網（図示せず）を装着するための溝４９ｂが設けられてもよい。また、前記屋外フード２０の上下通路壁面部４６の先端部には、上下用通路２ｂに向って突出する被案内部４６ａが設けられてもよい。図３（ａ）の台座２２に図示しないガイド溝を設け、被案内部４６ａを上下方向にスライド自在とすれば、前記屋外フード２０の取り付けが簡単になり、更に施工性を向上させることができる。
【００２５】
以上のとおり、図面を参照しながら好適な実施例を説明したが、当業者であれば、本明細書を見て、自明な範囲で種々の変更および修正を容易に想定するであろう。
たとえば、前記実施形態では、本換気用器具を２つのパーツ（台座と屋外フード）で形成したが、本換気用器具は、３つ以上のパーツで構成してもよい。また、本換気用器具は合成樹脂ではなく、金属で形成してもよい。
また、室内側の電動ファンは必ずしも設ける必要がない。
【００２６】
さらに、本発明において、通気パイプ２は外壁４を貫通している必要はない。たとえば、通気パイプ２を長さ方向に２分割したような構造としたり、台座２２の一部で通気パイプの一部を構成してもよい。
さらに、通気パイプを２分割し、一方の通気パイプの一部を台座に設けた場合には、２つの通気パイプの間でシールを行ってもよい。
【００２７】
また、通気パイプと台座との間をシールするシール材はブチルテープに限られず、ゴムパッキンやコーキング材によりシールを行ってもよい。また、外壁とベース部との間のシールについてもスポンジゴムの代わりにリップ付きの充実ゴムを用いてもよい。したがって、そのような変更および修正は、本発明の範囲内のものと解釈される。
【００２８】
【発明の効果】
以上説明したように本発明は、上下用通路を屋外フードの左右の端部に設け、通気パイプの屋外側開口に臨む空間と前記左右一対の上下用通路とで概ねＨ型の換気用通路を形成している。すなわち、前記通気パイプの屋外側開口の上方は天板部で覆われており、したがって、屋外の風雨は前記上下用通路を上下にしか通過できないので、前記通気パイプ内に風雨が侵入しにくい。
更に、換気用通路がＨ型の形状なので、外気の流れの向きにかかわらず、外気の流れにより室内の空気を吸い出す効果が得られる。そのため、換気ファンの定格を大きくしなくても、外気が室内に流入（逆流）するのを防止することができる。
また、本発明の換気用器具は、ベース部と正面板部とが別体であるから、それぞれの部材を樹脂により容易に型成型することができる。そのため、安価な製造コストで量産することができる。
【図面の簡単な説明】
【図１】本発明にかかる換気用器具の第１実施形態を示す平面断面図である。
【図２】同縦断面図である。
【図３】本発明にかかる換気用器具の台座を示す斜視図である。
【図４】（ａ）は同台座を示す平面図、（ｂ）は正面図、（ｃ）は底面図、（ｄ）は裏面図、（ｅ）は側面図である。
【図５】本発明にかかる換気用器具の屋外フードを示す斜視図である。
【図６】（ａ）は同屋外フードを示す正面図、（ｂ）は底面図、（ｃ）は断面図、（ｄ）は側面図である。
【図７】（ａ）はＨ型の換気用通路を示すための屋外フードの一部を破断した概略斜視図、（ｂ）は換気用器具の第２実施形態を示す概略分解斜視図である。
【図８】本発明にかかる換気用器具の第３実施形態を示す概略分解斜視図である。
【図９】第４実施形態を示す屋外フードの概略斜視図である。
【符号の説明】
１：換気用器具
２：通気パイプ
４：外壁
８：通気層
２０：屋外フード
２０ｂ：上下用通路
２２：台座
２５：ベース部
Ａ：室内の空気
Ｉ：室内
Ｏ：屋外
【図１】
2004045009.tif 000003
【図２】
2004045009.tif 000004
【図３】
2004045009.tif 000005
【図４】
2004045009.tif 000006
【図５】
2004045009.tif 000007
【図６】
2004045009.tif 000008
【図７】
2004045009.tif 000009
【図８】
2004045009.tif 000010
【図９】
2004045009.tif 000011